(57)【要約】【課題】ＵＳＢメモリーの紛失を防止し、しかも安全に携帯することが可能なカード型ＵＳＢメモリーを提供する。【解決手段】本体１の先端にＵＳＢポートに差し込む差込端子２を設けたＵＳＢメモリーを構成する。本体１と差込端子２とをクレジットカード状の厚みに形成する。同じくクレジットカード状の厚みに支持板３を形成する。支持板３の端部に本体１を固定する。本体１及び差込端子２と同じ厚みのカバー体４を形成する。カバー体４を支持板３の端部に揺動自在に連結する。カバー体４の一側面に本体１及び差込端子２を収納する収納凹部４Ａを形成する。支持板３とカバー体４とが一枚のクレジットカード状を成すように構成する。【選択図】図１
0003168482.tif 000002
【実用新案登録請求の範囲】
【請求項１】
メモリーモジュールを収納した本体の先端にＵＳＢポートに差し込む差込端子を設けたＵＳＢメモリーであって、本体と差込端子とをクレジットカード状の厚みに形成し、クレジットカード状の厚みに形成された支持板の端部にＵＳＢメモリーの本体を固定したことを特徴とするカード型ＵＳＢメモリー。
【請求項２】
クレジットカード状の厚みを有するカバー体を形成し、該カバー体を前記支持板の端部に揺動自在に連結すると共に、該支持板の端部に固定された前記差込端子の端子金具面を覆うように構成され、該カバー体にて前記差込端子の端子金具面がわを覆ったときに、支持板とカバー体とが一枚のクレジットカード状を成すように構成された請求項１記載のカード型ＵＳＢメモリー。
【請求項３】
メモリーモジュールを収納した本体と、本体の先端に設けられＵＳＢポートに差し込む差込端子と、本体を固定する支持板と、差込端子を被覆するカバー体とを設け、これら全てをクレジットカード状の厚みに形成したことを特徴とするカード型ＵＳＢメモリー。
【請求項４】
メモリーモジュールを収納した本体の先端にＵＳＢポートに差し込む差込端子を設けたＵＳＢメモリーであって、本体と差込端子とはクレジットカード状の厚みに形成されると共に、クレジットカード状の厚みに形成された支持板の端部に本体が固定され、本体及び差込端子と同じ厚みのカバー体を形成し、該カバー体を支持板の端部に揺動自在に連結すると共に、該カバー体の一側面に本体及び差込端子を収納する収納凹部が形成され、該収納凹部にて差込端子の端子金具面がわを収納したときに支持板とカバー体とが一枚のクレジットカード状を成すように構成したことを特徴とするカード型ＵＳＢメモリー。
【考案の詳細な説明】
【技術分野】
【０００１】
本考案は、紛失を防止するカード型ＵＳＢメモリーに係り、クレジットカード類と共に携帯することができるカード型ＵＳＢメモリーに関する。
【背景技術】
【０００２】
ＵＳＢメモリーとは、パソコン等のＵＳＢポートに接続してデータを送受信するフラッシュメモリの一種で、外付け記録媒体として使用されている。このＵＳＢメモリーは、スティック状の本体にメモリーモジュールを収納し、本体の先端に設けた差込端子をＵＳＢポートに差し込んで使用するものである。
【０００３】
一般にＵＳＢメモリーは、小型・軽量で持ち運びが容易であると共に、各国共通のＵＳＢポートに接続して使用できる利点がある。そのため、他のメモリーカードのように、メモリーカードの種類によって差込端子の形状が異なる媒体に比べてより多くの場面で使用されている。
【０００４】
ところが、このＵＳＢメモリーは、メモリーモジュールを収納したスティック状の本体と、この本体の先端に設けられた差込端子とで構成された小型・軽量の媒体なので、持ち運びが容易である反面、紛失し易いといった不都合もあった。そこで従来では、ＵＳＢメモリーの紛失を防止するために、バンドタイプのＵＳＢメモリーが提案されている（特許文献１）。
【０００５】
特許文献１に記載のバンドタイプＵＳＢメモリーでは、ＰＶＣゴム材を使用したバンドをＵＳＢメモリーに連結し、このＵＳＢメモリーを腕に装着することで、紛失防止を図るものである。
【先行技術文献】
【特許文献】
【０００６】
【特許文献１】特開２０１０−２７７５６４号公報
【考案の概要】
【考案が解決しようとする課題】
【０００７】
特許文献１に記載のように、ＵＳＢメモリーを腕に装着することで、紛失防止を図ることは可能でも、腕に装着した状態が煩わしくなるおそれがある。しかも、ＵＳＢメモリーを腕に装着していると、各種の衝撃や水滴などを受けるおそれもあるので、電子媒体の携帯場所としては、あまりふさわしくない。
【０００８】
そこで本考案は、上述の課題を解消すべく案出されたもので、ＵＳＢメモリーの紛失を防止し、しかも安全に携帯することが可能なカード型ＵＳＢメモリーの提供を目的とする。
【課題を解決するための手段】
【０００９】
上述の目的を達成すべく、本考案の第１の手段は、メモリーモジュールを収納した本体１の先端にＵＳＢポートに差し込む差込端子２を設けたＵＳＢメモリーであって、本体１と差込端子２とをクレジットカード状の厚みに形成し、クレジットカード状の厚みに形成された支持板３の端部にＵＳＢメモリーの本体１を固定したことにある。
【００１０】
第２の手段は、クレジットカード状の厚みを有するカバー体４を形成し、該カバー体４を前記支持板３の端部に揺動自在に連結すると共に、該支持板３の端部に固定された前記差込端子２の端子金具面２Ａを覆うように構成され、該カバー体４にて前記差込端子２の端子金具面２Ａがわを覆ったときに、支持板３とカバー体４とが一枚のクレジットカード状を成すように構成されている。
【００１１】
第３の手段は、メモリーモジュールを収納した本体１と、本体１の先端に設けられＵＳＢポートに差し込む差込端子２と、本体１を固定する支持板３と、差込端子２を被覆するカバー体４とを設け、これら全てをクレジットカード状の厚みに形成したことにある。
【００１２】
第４の手段は、メモリーモジュールを収納した本体１の先端にＵＳＢポートに差し込む差込端子２を設けたＵＳＢメモリーであって、本体１と差込端子２とはクレジットカード状の厚みに形成されると共に、クレジットカード状の厚みに形成された支持板３の端部に本体１が固定され、本体１及び差込端子２と同じ厚みのカバー体４を形成し、該カバー体４を支持板３の端部に揺動自在に連結すると共に、該カバー体４の一側面に本体１及び差込端子２を収納する収納凹部４Ａが形成され、該収納凹部４Ａにて差込端子２の端子金具面２Ａがわを収納したときに支持板３とカバー体４とが一枚のクレジットカード状を成すように構成したことにある。
【考案の効果】
【００１３】
本考案の請求項１に記載のごとく、本体１と差込端子２とをクレジットカード状の厚みに形成し、同じくクレジットカード状の厚みに形成された支持板３の端部にＵＳＢメモリーの本体１を固定したことにより、ＵＳＢメモリーをクレジットカード類と共に携帯することが可能になった。この結果、ＵＳＢメモリーの紛失を防止することが可能になった。
【００１４】
しかも、請求項２のように、カバー体４にて前記差込端子２の端子金具面２Ａがわを覆ったときに、支持板３とカバー体４とが一枚のクレジットカード状を成すように構成したことで、クレジットカード類と共に財布やカード入れなどに収納して安全に携帯することができる。
【００１５】
また、請求項３のごとく、本体１、差込端子２、支持板３、カバー体４の全ての部材をクレジットカード状の厚みに形成したことにより、各部材をどのように組み合わせても嵩張らない形状に構成することが可能である。
【００１６】
請求項４のごとく、収納凹部４Ａにて差込端子２の端子金具面２Ａがわを収納したときに支持板３とカバー体４とが一枚のクレジットカード状を成すように構成したことにより、ＵＳＢメモリーをクレジットカード類と共に財布等に収納できるから、紛失を防止し、しかも安全に携帯することができる。
【００１７】
また、ＵＳＢメモリーが、支持板３とカバー体４によってクレジットカード状に形成されることから、嵩張らず極めて携帯し易いものになる。しかも、支持板３やカバー体４に比較的多くの文字や図面等を書き込むことができるので、販売促進や広告媒体等としての使用も可能である。
【００１８】
更に、クレジットカード状の形状は、郵送などにも適した形状であることから、例えば、各種カタログやパンフレットなどを記憶させて頒布することも容易である。この結果、紙媒体を使用せずに入学案内や各種カタログ等を頒布することも可能になり、これまでの紙媒体を使用した入学案内や各種カタログ等の頒布に比べて森林資源を保護することができる利点もある。
【図面の簡単な説明】
【００１９】
【図１】本考案の使用状態を示す斜視図である。
【図２】本考案の使用状態を示す側面図である。
【図３】本考案の収納状態を示す平面図である。
【図４】本考案の収納状態を示す底面図である。
【図５】本考案の使用例を示す斜視図である。
【考案を実施するための形態】
【００２０】
本考案によると、ＵＳＢメモリーの紛失を防止し、しかも安全に携帯することに成功したものである。
【実施例】
【００２１】
以下、本考案を図示例に基づいて説明する。本考案の基本構成は、本体１、差込端子２、支持板３、カバー体４にて構成されており、これら全ての部材がクレジットカード状の厚みに形成されているものである（図１参照）。
【００２２】
本体１と差込端子２は、本来のＵＳＢメモリーを構成する部材であり、メモリーモジュールを収納した本体１の先端にＵＳＢポートに差し込む差込端子２を設けている（図１、図５参照）。これら本体１及び差込端子２は、いずれもクレジットカード状の厚みに形成している。本考案におけるクレジットカード状とは、プラスチックカードを使用した各種カード類と略同じ形状を成す。
【００２３】
すなわち、各種カードのサイズは、ＩＳＯやＪＩＳ等で規格化されており、クレジットカード、キャッシュカードなどは、ＩＳＯ及びＪＩＳ規格にて、８５．６×５４．０×０．７６ｍｍと規定されている。
【００２４】
本考案においてクレジットカード状とはこの規格に近似するカード類全てを含めるもので、例えばクレジットカード状の厚みとは、この規格の厚みに近似する寸法を言い、各寸法は厳密に規定されるものではない。本考案では、これらのカード類と共に重ねて財布やカード入れ等に収納できるサイズであればよいものとする。
【００２５】
支持板３は、クレジットカード状の厚みに形成された部材であり、この支持板３の端部に本体１を固定する（図４参照）。図示例では、支持板３の端部から固定片３Ａを突設し、この固定片３Ａに本体１及び差込端子２の片面を接合したものである。
【００２６】
この固定片３Ａによって、支持板３の端から突出した本体１や支持板３が強固に保持された状態になっている（図１参照）。このとき、固定片３Ａには、収納凹部３Ｂが形成されており、この収納凹部３Ｂに収納された本体１や差込端子２は、固定片３Ａと略同じ厚みになっている（図２参照）。この厚みがクレジットカード状の厚みに形成されているものである。
【００２７】
カバー体４も、支持板３と同様に、クレジットカード状の厚みを有する部材である。図示例では、このカバー体４を支持板３の端部に揺動自在に連結している。このとき、ヒンジ５を介して連結しているが、このヒンジ５や連結構造は図示例に限られるものではない。
【００２８】
図示のカバー体４は、支持板３の端部に固定された差込端子２の端子金具面２Ａを覆うように構成されている（図３参照）。このとき、支持板３とカバー体４とは、連結時に略クレジットカード状のサイズになるように構成されている。そして、カバー体４の片面で差込端子２の端子金具面２Ａがわを覆うように形成したもので（図２参照）、このカバー体４にて差込端子２の端子金具面２Ａがわを覆ったときに、支持板３とカバー体４とが一枚のクレジットカード状を成す（図３、図４参照）。
【００２９】
すなわち、カバー体４の一側面に本体１及び差込端子２を収納する収納凹部４Ａが形成され、該収納凹部４Ａにて差込端子２の端子金具面２Ａがわを収納したときに支持板３とカバー体４とが一枚のクレジットカード状を成すものである（図１、図３参照）。図示例の収納凹部４Ａは、本体１及び差込端子２を固定片３Ａごと収納するように形成している。
【００３０】
尚、カバー体４の形状は図示例に限られるものではなく、例えば、支持板３と分離するカバー体４を形成し、差込端子２や固定片３Ａに着脱自在に装着するキャップ構造にすることも可能である（図示せず）。
【産業上の利用可能性】
【００３１】
本考案において、本体１、差込端子２、支持板３、カバー体４の形状や組み合わせ方は図示例に限定されるものではない。これらの部材はクレジットカード状の厚みを有するものであればどのような組合せも可能であり、本考案の要旨を変更しない範囲で自由に設計変更することができる。
【符号の説明】
【００３２】
１  本体
２  差込端子
２Ａ  端子金具面
３  支持板
３Ａ  固定片
３Ｂ  収納凹部
４  カバー体
４Ａ  収納凹部
５  ヒンジ
【図１】
0003168482.tif 000003
【図２】
0003168482.tif 000004
【図３】
0003168482.tif 000005
【図４】
0003168482.tif 000006
【図５】
0003168482.tif 000007
【手続補正書】
【提出日】平成23年3月31日(2011.3.31)
【手続補正１】
【補正対象書類名】実用新案登録請求の範囲
【補正対象項目名】請求項３
【補正方法】変更
【補正の内容】
【請求項３】
メモリーモジュールを収納した本体と、本体の先端に設けられＵＳＢポートに差し込む差込端子と、本体と一体に形成された支持板と、該支持板に連結され差込端子を被覆するカバー体とを設け、これら全てをクレジットカード状の厚みに形成したことを特徴とするカード型ＵＳＢメモリー。
【手続補正２】
【補正対象書類名】明細書
【補正対象項目名】００１１
【補正方法】変更
【補正の内容】
【００１１】
第３の手段は、メモリーモジュールを収納した本体１と、本体１の先端に設けられＵＳＢポートに差し込む差込端子２と、本体１と一体に形成された支持板３と、該支持板に連結され差込端子２を被覆するカバー体４とを設け、これら全てをクレジットカード状の厚みに形成したことにある。